(57)【要約】【課題】光の取り出し効率を向上させることが可能な照明器具を提供する。【解決手段】照明器具１は、複数のＬＥＤ１２で構成されたＬＥＤ光源１０と、ＬＥＤ光源１０からの光の出射前方にＬＥＤ光源１０と対向して配置され、ＬＥＤ光源１０からの出射光を所定の方向に配光するレンズ部材４０とを備え、レンズ部材４０は、光入射面４０１に、同心環状の突起部Ｔ１〜Ｔ４を複数有し、隣り合う突起部の間には、同心環状の溝部Ｂ１〜Ｂ３が形成され、一の溝部Ｂ２の底部Ｖ２とＬＥＤ光源１０の発光面を含む平面Ｐ０との距離Ｘ２は、溝部Ｂ２の内周側に隣接する溝部Ｂ３の底部Ｖ３と平面Ｐ０との距離Ｘ３より大きい。【選択図】図５
2015090781.tif 000002
【特許請求の範囲】
【請求項１】
複数の発光素子で構成された面光源と、
前記面光源からの光の出射前方に前記面光源と対向して配置され、前記面光源からの出射光を所定の方向に配光する光学部材とを備え、
前記光学部材は、光入射側に、前記光学部材の光軸を中心とした同心環状の突起部を複数有し、
隣り合う前記突起部の間には、同心環状の溝部が形成され、
一の溝部の底部と前記面光源の発光面を含む平面との距離は、当該溝部の内周側に隣り合う他の溝部の底部と前記平面との距離より大きい
照明器具。
【請求項２】
前記光学部材は、前記複数の突起部を外周領域に有し、
前記突起部は、前記出射光を屈折させる屈折面と、当該屈折面の外周側に形成された、前記突起部へ入射した光を反射させる反射面とを有する
請求項１に記載の照明器具。
【請求項３】
前記光学部材の光出射面の外周領域は、平坦である
請求項２に記載の照明器具。
【請求項４】
前記光軸から、より外周方向に形成された前記溝部ほど、当該溝部の底部と前記平面との距離が大きい
請求項１〜３のいずれか１項に記載の照明器具。
【請求項５】
第１の溝部の底部及び前記平面の間の距離と、前記第１の溝部の内周側に隣り合う溝部の底部及び前記平面の間の距離との差分は、前記第１の溝部の外周側に形成された第２の溝部の底部及び前記平面の間の距離と、前記第２の溝部の内周側に隣り合う溝部の底部及び前記平面の間の距離との差分よりも大きい
請求項４に記載の照明器具。
【発明の詳細な説明】
【技術分野】
【０００１】
本発明は、照明器具に関し、特に、発光ダイオード（ＬＥＤ：Ｌｉｇｈｔ  Ｅｍｉｔｔｉｎｇ  Ｄｉｏｄｅ）等の発光素子を光源とする埋込型の照明器具に関する。
【背景技術】
【０００２】
従来、埋込型の照明器具として、例えば、ダウンライトやスポットライトのように天井に埋込配設されて下方に光を照射する天井埋込型照明器具、あるいは、地中に埋込配設されて上方に光を照射する地中埋込型照明器具等が知られている。従来の埋込型照明器具として、例えば特許文献１には、ダウンライトに関する照明器具が開示されている。
【０００３】
特許文献１に開示された従来の照明器具は、ＬＥＤ光源（ＬＥＤモジュール）と、ＬＥＤ光源を収納する器具本体とを備える。器具本体は、ＬＥＤ光源の光を入射する入射口及び当該入射口から入射した光を出射する出射口を有する枠体部と、ＬＥＤ光源と枠体部との間に配置された円環状の反射板と、反射板と枠体部との間に配置された透光パネルとを備える。反射板は、アルミニウムからなり、ＬＥＤ光源からの光を内周面で反射させて、枠体部の入射口に集光させるように構成されている。
【０００４】
また、特許文献２には、発散性の配光特性を有するＬＥＤ光源に対して、光入射面及び光出射面のいずれか一面に同心円状のブレーズ形状が形成された集光素子を有する小型の光源モジュールが開示されている。
【先行技術文献】
【特許文献】
【０００５】
【特許文献１】特開２０１１−２１０６２１号公報
【特許文献２】特開２０１１−５４８２９号公報
【発明の概要】
【発明が解決しようとする課題】
【０００６】
特許文献１に開示された従来の埋込型の照明器具に対して、特許文献２に開示された光源モジュールを適用することにより、埋込型の照明器具においても、出射口からの光の取り出し効率を向上させ、また、高精度な配光制御が可能となると考えられる。
【０００７】
しかしながら、埋込型の照明器具に上記光源モジュールを搭載する場合、集光素子のサイズによっては、例えば、ＬＥＤ光源から集光素子へ入射した光が光出射面などの境界領域において反射することが想定される。これにより、ＬＥＤ光源からの出射光が集光素子の光出射面から効率よく取り出せず、上記取り出し効率を低下させてしまう。
【０００８】
本発明は、このような問題を解決するためになされたものであり、光の取り出し効率を向上させることが可能な照明器具を提供することを目的とする。
【課題を解決するための手段】
【０００９】
上記目的を達成するために、本発明に係る照明器具の一態様は、複数の発光素子で構成された面光源と、前記面光源からの光の出射前方に前記面光源と対向して配置され、前記面光源からの出射光を所定の方向に配光する光学部材とを備え、前記光学部材は、光入射側に、前記光学部材の光軸を中心とした同心環状の突起部を複数有し、隣り合う前記突起部の間には、同心環状の溝部が形成され、一の溝部の底部と前記面光源の発光面を含む平面との距離は、当該溝部の内周側に隣り合う他の溝部の底部と前記平面との距離より大きいことを特徴とする。
【００１０】
また、本発明に係る照明器具の一態様において、前記光学部材は、前記複数の突起部を外周領域に有し、前記突起部は、前記出射光を屈折させる屈折面と、当該屈折面の外周側に形成された、前記突起部へ入射した光を反射させる反射面とを有するとしてもよい。
【００１１】
また、本発明に係る照明器具の一態様において、前記光学部材の光出射面の外周領域は、平坦であるとしてもよい。
【００１２】
また、本発明に係る照明器具の一態様において、前記光軸から、より外周方向に形成された前記溝部ほど、当該溝部の底部と前記平面との距離が大きいとしてもよい。
【００１３】
また、本発明に係る照明器具の一態様において、第１の溝部の底部及び前記平面の間の距離と、前記第１の溝部の内周側に隣り合う溝部の底部及び前記平面の間の距離との差分は、前記第１の溝部の外周側に形成された第２の溝部の底部及び前記平面の間の距離と、前記第２の溝部の内周側に隣り合う溝部の底部及び前記平面の間の距離との差分よりも大きいとしてもよい。
【発明の効果】
【００１４】
本発明に係る照明器具によれば、レンズ部材での臨界角以上の光の反射が低減されるので、光の取り出し効率を向上させることが可能となる。
【図面の簡単な説明】
【００１５】
【図１】本発明の実施の形態に係る照明器具の概観斜視図
【図２】本発明の実施の形態に係る照明器具の分解斜視図
【図３】本発明の実施の形態に係る照明器具を、光軸を含むＸＺ平面で切断した場合の断面図
【図４】本発明の実施の形態に係るレンズ部材の一例を示す斜視図
【図５】本発明の実施の形態に係るレンズ部材を、光軸を含むＸＺ平面で切断した場合の断面図
【図６Ａ】本発明の実施の形態に係る照明器具の光取り出し効率を説明する図
【図６Ｂ】従来の照明器具の光取り出し効率を説明する図
【図７】本発明の実施の形態の変形例に係るレンズ部材の構造を表す断面図
【発明を実施するための形態】
【００１６】
以下、本発明の実施の形態に係る照明器具について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示したものではない。したがって、各図同士において厳密には一致していない部分も存在する。
【００１７】
（実施の形態）
まず、本発明の実施の形態に係る照明器具の構成について、図１〜図３を用いて説明する。図１は、本発明の実施の形態に係る照明器具の概観斜視図である。図２は、本発明の実施の形態に係る照明器具の分解斜視図である。図３は、本発明の実施の形態に係る照明器具を、光軸を含むＸＺ平面で切断した場合の断面図である。
【００１８】
図１及び図２に示す照明器具１は、例えば、スポットライトや下方に光を照明するダウンライト等の照明器具に用いられる。
【００１９】
本実施の形態に係る照明器具１は、図１に示すように、筐体２０と補助反射部材５０とで囲まれており、図２に示すように、ＬＥＤ光源１０と、筐体２０と、反射部材３０と、レンズ部材４０と、補助反射部材５０とを備える。照明器具１は、図２に示すように、筐体２０、ＬＥＤ光源１０、反射部材３０、レンズ部材４０、及び補助反射部材５０がこの順で組み合わされることにより構成される。
【００２０】
以下、照明器具１における各構成部材について詳細に説明する。
【００２１】
［ＬＥＤ光源］
ＬＥＤ光源１０は、発光素子を有する発光モジュールであって、所定の光を放射状に放出する。ＬＥＤ光源１０は、白色光を放出するように構成されており、基板１１と、基板１１上に実装された複数のＬＥＤ（ベアチップ）１２と、ＬＥＤ１２を封止する封止部材１３とを備えた面光源である。なお、本実施の形態において、ＬＥＤ光源１０の光軸は鉛直方向である。
【００２２】
基板１１は、ＬＥＤ１２を実装するための実装基板であって、例えば樹脂基板、セラミックス基板又は絶縁被覆されたメタルベース基板等である。また、基板１１としては、例えば、平面視において矩形形状である平面を有する板状の基板を用いることができる。基板１１は、筐体２０内部の固定部材と反射部材３０との間に固定されている。これにより、ＬＥＤ１２が発する熱は基板１１を介して筐体２０に伝導する。なお、ＬＥＤ１２が発する熱を効率良く筐体２０に伝導させるために、基板１１としては、上記内部部材に密着させる面に金属材料が形成された基板やメタルベース基板を用いることが好ましい。なお、図示しないが、基板１１には、ＬＥＤ１２を発光させるための直流電力を外部から受電するための一対の電極端子（正電極端子及び負電極端子）が形成されている。ＬＥＤ光源１０は、照明器具１の外部の電源ユニット（不図示）から供給された電力によって所定の光を発光する。
【００２３】
ＬＥＤ１２は、発光素子の一例であって、単色の可視光を発するベアチップである。本実施の形態におけるＬＥＤ１２は、通電されれば青色光を発する青色発光ＬＥＤチップである。また、ＬＥＤ１２は、基板１１の一方の面（表面：図２及び図３では下面）にマトリクス状に複数個配置されている。ＬＥＤ１２は、基板１１にパターン形成された金属配線（不図示）やワイヤ（不図示）によって互いに電気的に接続されている。
【００２４】
封止部材１３は、基板１１上に複数のＬＥＤ１２を一括封止するように形成されている。封止部材１３は、光波長変換材である蛍光体を含み、ＬＥＤ１２からの光を波長変換する波長変換層として機能する。封止部材１３としては、例えば、シリコーン樹脂に所定の蛍光体粒子と光拡散材とを分散させた蛍光体含有樹脂を用いることができる。
【００２５】
なお、ＬＥＤ光源１０の光出射面の大きさは、一例として直径３０〜４０ｍｍである。また、ＬＥＤ光源１０の大きさはこれに限らず、例えば、直径１０ｍｍであってもよい。         
【００２６】
蛍光体粒子としては、ＬＥＤ１２が青色光を発光する青色発光ダイオードである場合、白色光を得るために、例えばＹＡＧ系の黄色蛍光体粒子を用いることができる。これにより、ＬＥＤ１２が発した青色光の一部は、封止部材１３に含まれる黄色蛍光体粒子によって黄色光に波長変換される。つまり、黄色蛍光体粒子は、ＬＥＤ１２が発する青色光（励起光）によって励起され、青色光に対して補色の関係にある黄色光を蛍光発光する。そして、黄色蛍光体粒子に吸収されなかった青色光と、黄色蛍光体粒子によって波長変換された黄色光とは、封止部材１３中で拡散及び混合されることにより、封止部材１３から白色光となって出射される。光拡散材としては、シリカなどの粒子が用いられる。
【００２７】
なお、演色性を高めるために、封止部材１３内に、黄色蛍光体粒子に加えて赤色蛍光粒子を混合しても構わない。また、封止部材１３は、必ずしもシリコーン樹脂によって形成する必要はなく、フッ素系樹脂などの有機材のほか、低融点ガラスやゾルゲルガラス等の無機材によって形成してもよい。また、封止部材１３は、全てのＬＥＤ１２を一括封止してもよく、また、ＬＥＤ１２の列ごとに直線状に封止しても構わない。
【００２８】
［筐体］
筐体２０は、照明器具１の外郭をなす筐体の一部であるとともに、ＬＥＤ光源１０が取り付けられる取付台であり、ＬＥＤ光源１０で発生する熱を放熱するヒートシンクである。筐体２０は、金属材料を用いて略円柱状に形成されており、本実施の形態ではアルミダイカスト製である。
【００２９】
筐体２０は、ＬＥＤ光源１０を取り付けるための内部部材を含む。本実施の形態において、内部部材は、反射部材３０とでＬＥＤ光源１０を挟み込んでいる。
【００３０】
なお、本実施の形態において、ＬＥＤ光源１０は筐体２０の内部部材と当接しているが、当該内部部材の底面に放熱基台（ヒートシンク）を載置し、ＬＥＤ光源１０を、この放熱基台の上（下面）に固定してもよい。
【００３１】
なお、筐体２０の上部（天井側部分）には、上方に向かって突出する複数の放熱フィンが設けられていてもよい。放熱フィンは、例えば、一方向に沿って互いに一定の間隔をあけて設けられていてもよい。これにより、ＬＥＤ光源１０で発生する熱を効率よく放熱させることができる。
【００３２】
［反射部材］
反射部材３０は、反射機能を有する反射板であって、ＬＥＤ光源１０からの光が入射する開口である入射口と、当該入射口から入射した光が反射部材３０から出射する開口である出射口とを有する。反射部材３０は、内径が入射口から出射口に向かって漸次大きくなるように構成された円環枠状（漏斗状）であり、例えば、ポリブチレンテレフタレート（ＰＢＴ）等の硬質の白色樹脂材料を用いて形成することができる。ＰＢＴを用いた反射部材は、耐熱性及び高反射率を有し、さらに、難燃グレードの選択が可能となる。
【００３３】
反射部材３０の内周面は、ＬＥＤ光源１０からの光を反射する反射面となっている。上記反射面は、入射口から入射した光を反射させて出射口から出射させるように構成されている。
【００３４】
なお、反射部材３０は、硬質の白色樹脂材料ではなく、例えば、アルミニウム等の金属材料によって形成してもよい。あるいは、樹脂製の反射部材３０の内面に、反射面として、銀やアルミニウム等の金属材料からなる金属蒸着膜（金属反射膜）を形成してもよい。
【００３５】
［補助反射部材］
補助反射部材５０は、照明器具１の外郭をなす筐体の一部であるとともに、内面に反射面を有する略円筒状のコーン部５０１と、コーン部５０１が取り付けられる枠体本体部５０２とを有する。コーン部５０１は、金属材料を用いて成形されており、例えば、アルミニウム合金等を絞り加工またはプレス成形することによって作製することができる。枠体本体部５０２は、硬質の樹脂材料又は金属材料によって成形されている。補助反射部材５０は、枠体本体部５０２が筐体２０に取り付けられることによって固定されている。
【００３６】
コーン部５０１の上部には、反射部材３０の内部を直接又は反射して通過したＬＥＤ光源１０からの光が入射する入射口が設けられている。また、コーン部５０１の下部には、補助反射部材５０に入射した光を外部に出射させる出射口が設けられている。これら入射口及び出射口は円形状に開口されており、出射口の開口径は入射口の開口径よりも大きくなっている。また、コーン部５０１の内周面は、光を反射する反射面となっており、本実施の形態における反射面は、金属反射面である。上記反射面は、入射口から入射した光が当該反射面で反射して出射口から出射されるように構成されている。なお、出射口から出射する光の角度は反射面の形状によって適宜調整することができる。本実施の形態における反射面は、入射口から入射した光がほぼ鉛直下方に反射するように構成されている。
【００３７】
なお、コーン部５０１は、反射部材３０から鉛直方向に所定の間隔をあけて配置されている。また、コーン部５０１の入射口の開口径は、後述する反射部材３０の出射口の開口径と略同等となっている。
【００３８】
枠体本体部５０２の下端部には、径方向の外向きに突出するフランジが周方向に亘って一体に形成されている。
【００３９】
なお、本実施の形態にかかる照明器具１は、補助反射部材５０を備えない構成であってもよい。本実施の形態に示すように補助反射部材５０を備えることにより、照明器具１において、レンズ部材４０から出射した光の一部は、補助反射部材５０でさらに反射される。これにより、ＬＥＤ光源１０から出射された光がレンズ部材４０を透過した後であっても配光制御を行うことができるので、光取り出し効率をより向上することができる。
【００４０】
［レンズ部材］
次に、レンズ部材４０について説明する。レンズ部材４０は、ＬＥＤ光源１０と対向する位置に配置され、ＬＥＤ光源１０からの出射光を所定の方向に配光する光学部材である。レンズ部材４０は、ＬＥＤ光源１０から入射された上記出射光を光出射面から出射する。
【００４１】
本実施の形態におけるレンズ部材４０は、反射部材３０の出射口と、補助反射部材５０の入射口との間に固定され、レンズ部材４０の光入射側から入射したＬＥＤ光源１０からの光を、レンズ部材４０の光入射側から出射させる。
【００４２】
レンズ部材４０は、透光性材料を用いて形成されており、例えばＰＭＭＡ（アクリル）やポリカーボネート（ＰＣ）等の透明樹脂材料、または、ガラス材料等の絶縁性を有する透明材料を用いて形成することができる。
【００４３】
ここで、レンズ部材４０の構造について、図４及び図５を用いて詳述する。
【００４４】
図４は、本発明の実施の形態に係るレンズ部材の一例を示す斜視図である。図５は、実施の形態に係るレンズ部材を、光軸を含むＸＺ平面で切断した場合の断面図である。
【００４５】
図４及び図５に示すように、レンズ部材４０は、光入射側に、レンズ部材４０の光軸を中心とした同心状かつ円環状の突起部Ｔ１〜Ｔ４（Ｔ１は図示せず）を有している。本実施の形態では、突起部Ｔ１〜Ｔ４は、レンズ部材４０入射側かつ外周領域に形成されている。一方、レンズ部材４０の入射側かつ内周領域は平坦面となっている。また、レンズ部材４０の光出射面４０２は平面となっている。
【００４６】
突起部Ｔ１〜Ｔ４は、それぞれ、ＬＥＤ光源１０からの入射光を屈折させる屈折面Ｋ１〜Ｋ４と、当該屈折面の外周側に形成された、突起部Ｔ１〜Ｔ４へ入射した光を反射させる反射面Ｒ１〜Ｒ４とを有する。
【００４７】
上記レンズ部材４０の構造により、図５に示すように、レンズ部材４０の外周領域では、ＬＥＤ光源１０から広角で入射した光Ｌｏ（Ｚ方向成分よりもＸ方向成分が支配的である光）は、レンズ部材４０内の突起部Ｔ２の屈折面Ｋ２で屈折透過し、反射面Ｒ２で反射されて光出射面４０２へと導かれる。一方、レンズ部材の内周領域では、レンズ部材４０内に狹角で入射した光Ｌｉ（Ｘ方向成分よりもＺ方向成分が支配的である光）は、光入射面４０１の平坦部から入射して屈折透過し、光出射面４０２から略鉛直方向へと導かれる。
【００４８】
なお、本実施の形態に係るレンズ部材４０は、同心状かつ円環状の突起部の数は４つに限定されない。また、光出射面４０２は、少なくとも、突起部Ｔ１〜Ｔ４が形成された外周領域と対向する領域が平坦であればよい。
【００４９】
ここで、本実施の形態に係るレンズ部材４０は、図５に示すように、隣り合う突起部の間に、レンズ部材４０の光軸を中心とした同心状かつ円環状の溝部Ｂ１〜Ｂ３が形成されている。例えば、溝部Ｂ１の底部Ｖ１とＬＥＤ光源１０を含む平面Ｐ０との距離Ｘ１は、溝部Ｂ１の内周側に隣り合う溝部Ｂ２の底部Ｖ２と平面Ｐ０との距離Ｘ２より大きい。
【００５０】
これにより、例えば、図４に示すように、本実施の形態に係るレンズ部材４０内に入射した光Ｌ２は、屈折面Ｋ３で屈折透過し、反射面Ｒ３の最下部で反射して光出射面４０２から出射（Ｌ２Ｇ）する。これに対して、Ｘ１≦Ｘ２の関係である場合、光Ｌ２は、屈折面Ｋ３で屈折透過し、反射面Ｒ３で反射せず、反射面Ｒ３の下方を通過し、入射光が全反射してしまう角度である臨界角（光軸からの角度）以上で光出射面４０２に入射して全反射し、レンズ部材の側方から出射（Ｌ２Ｂ）する。
【００５１】
図６Ａは、本発明の実施の形態に係る照明器具の光取り出し効率を説明する図であり、図６Ｂは、従来の照明器具の光取り出し効率を説明する図である。なお、図６Ａに示された本実施の形態に係るレンズ部材４０は、図５に示すように、溝部（Ｂ１〜Ｂ３）の底部（Ｖ１〜Ｖ３）と平面Ｐ０との距離（Ｘ１〜Ｘ３）は、レンズ部材４０の中心から外周方向へ向かうにつれ大きくなっている。一方、図６Ｂに示された従来のレンズ部材５４０は、複数の溝部の底部と平面Ｐ０との距離は、いずれも同じである。
【００５２】
本発明の実施の形態に係る照明器具１では、図６Ａに示すように、ＬＥＤ光源１０から広角に出射する光成分Ｌ３ｌ及びＬ３ｒは、レンズ部材４０の光入射面４０１に形成された突起部の頂部付近に入射し、屈折面を通過して反射面で反射され、光出射面４０２で屈折して光出射面４０２の鉛直下方へ出射する。また、ＬＥＤ光源１０から広角に出射する光成分Ｌ４ｌ及びＬ４ｒ（Ｌ３ｌ及びＬ３ｒよりも狹角）は、突起部の中腹部に入射し、屈折面を通過し、内周に隣り合う突起部の反射面よりも光出射面方向（Ｚ軸マイナス方向）へ延設された反射面で反射され、光出射面４０２で屈折して光出射面４０２の鉛直下方へ出射する。
【００５３】
一方、従来の照明器具では、図６Ｂに示すように、ＬＥＤ光源５１０から広角に出射する光成分Ｌ５ｌ及びＬ５ｒは、レンズ部材５４０の光入射側に形成された突起部の頂部付近に入射し、屈折面を通過して反射面で反射され、光出射面４０２で屈折して光出射面４０２の鉛直下方へ出射する。しかし、ＬＥＤ光源５１０から広角に出射する光成分Ｌ６ｌ及びＬ６ｒ（Ｌ５ｌ及びＬ５ｒよりも狹角）は、光入射面４０１の突起部の中腹部に入射し、屈折面を通過し、反射面で反射されず当該反射面の下方を通過し、光出射面４０２に臨界角以上で入射して全反射し、レンズ部材の側方へ出射する。
【００５４】
上述した、本実施の形態に係る照明器具と従来の照明器具との比較によれば、本発明の実施の形態に係る照明器具１は、ＬＥＤ光源１０からレンズ部材４０の外周方向へ広角出射された光が、臨界角以上の入射角で光出射面４０２に入射することが低減されるので、光の取り出し効率を向上させることが可能となる。
【００５５】
なお、本実施の形態では、溝部（Ｂ１〜Ｂ３）の底部（Ｖ１〜Ｖ３）と平面Ｐ０との距離（Ｘ１〜Ｘ３）は、レンズ部材４０の中心から外周方向へ向かうにつれ大きくなり、隣り合う溝部間の上記距離の差はいずれも等しい構造となっている。しかしながら、本発明に係る照明器具のレンズ部材はこれに限られない。全ての溝部において、外周方向へ向かうにつれ上記距離が大きくなっている必要はなく、一部の溝部同士の関係において、より外周にある溝部の上記距離の方が大きい構造を有していればよい。この構成であっても、本発明の権利範囲であり、臨界角以上の入射角で光出射面４０２に入射する光成分が低減されるという効果が奏される。
【００５６】
［実施の形態の変形例］
図７は、本発明の実施の形態の変形例に係るレンズ部材の構造を表す断面図である。具体的には、図７は、レンズ部材の中心軸を通るＸＺ平面で切断した場合のレンズ部材４１の断面図である。本変形例に係るレンズ部材４１において、溝部の底部及び平面Ｐ０の間の距離と、当該溝部の内周側に隣り合う溝部の底部及び平面Ｐ０の間の距離との差分は、レンズ部材４１の中心から外周方向へ向かうにつれ小さくなっている。例えば、図７において、溝部の底部及び平面Ｐ０の間の距離Ｘ１と、当該溝部の内周側に隣り合う溝部の底部及び平面Ｐ０の間の距離（Ｘ２）との差分（Ｘ１−Ｘ２）は、距離Ｘ４と距離Ｘ５との差分（Ｘ４−Ｘ５）よりも小さく設定されている。
【００５７】
図７に示すように、ＬＥＤ光源１０から広角に出射される光Ｌ７ｌ及びＬ７ｒは、内周に隣接する突起部の上方を通過して屈折面の下方へと到達する。これに対して、ＬＥＤ光源１０からより広角に出射される光Ｌ８ｌ及びＬ８ｒは、内周に隣り合う突起部の上方を通過して屈折面の中腹部へと到達するが、入射角が大きいため、内周に隣り合う突起部に妨げられて当該屈折面の下方には到達しない。さらに、本変形例において、光軸中心から外周部へ向かうにつれて、突起部の高さが高くなっている（突起部の頂点と平面Ｐ０との距離が大きい）ので、光Ｌ８ｌ及びＬ８ｒの到達領域は制限される。このように、ＬＥＤ光源１０から出射される光は、レンズ部材の外周に向かうほど広角となり、突起部の屈折面のより上方にしか到達しない。よって、本発明のレンズ部材の構造において、上述した隣接する溝部の底部に関する上記距離の関係は、内周に向かうほど光の取り出し効率への寄与度が高い。本変形例に係るレンズ部材４１が有する溝部の構造によれば、光の取り出し効率をより効果的に向上させることが可能となる。
【００５８】
［効果］
本実施の形態に係る照明器具１は、複数のＬＥＤ１２で構成されたＬＥＤ光源１０と、ＬＥＤ光源１０の出射前方にＬＥＤ光源１０と対向して配置され、ＬＥＤ光源１０からの出射光を所定の方向に配光するレンズ部材４０とを備える。レンズ部材４０は、光入射側に、同心環状の突起部Ｔ１〜Ｔ４を有し、隣り合う突起部の間には、同心環状の溝部Ｂ１〜Ｂ３が形成されている。ここで、一の溝部の底部とＬＥＤ光源１０の発光面を含む平面Ｐ０との距離は、当該溝部の内周側に隣り合う溝部の底部と平面Ｐ０との距離より大きい。
【００５９】
これにより、ＬＥＤ光源１０からレンズ部材４０の外周方向へ広角出射された光が、臨界角以上の入射角で光出射面４０２に入射することが低減されるので、光の取り出し効率を向上させることが可能となる。
【００６０】
また、レンズ部材４０は、上記複数の突起部を外周領域に有し、当該突起部は、ＬＥＤ光源１０からの出射光を屈折させる屈折面Ｋ１〜Ｋ４と、当該屈折面の外周側に形成された、突起部へ入射した光を反射させる反射面Ｒ１〜Ｒ４とを有してもよい。
【００６１】
これにより、レンズ部材４０の外周領域では、ＬＥＤ光源１０から広角で入射した光を、レンズ部材４０内の突起部の屈折面で屈折透過させ、反射面で反射させ、臨界角以下の入射角で光出射面４０２へと入射させることが可能となる。よって、光の取り出し効率を向上させることが可能となる。
【００６２】
また、上記外周領域と対向するレンズ部材４０の光出射面４０２は、平坦であってもよい。
【００６３】
これにより、レンズ部材４０内の突起部の屈折面で屈折透過し、反射面で反射されて光出射面４０２へ到達した光は、臨界角より小さい入射角を有するものが支配的であるので、光出射面４０２で全反射せずに光出射面４０２から出射される。よって、光の取り出し効率を向上させることが可能となる。
【００６４】
また、溝部Ｂ１〜Ｂ３の底部Ｖ１〜Ｖ３と平面Ｐ０との距離Ｘ１〜Ｘ３は、レンズ部材４０の中心から外周方向へ向かうにつれ大きくなってもよい。
【００６５】
これにより、ＬＥＤ光源１０からレンズ部材４０の外周方向へ広角出射された光が、臨界角以上の入射角で光出射面４０２に入射することを外周領域の全域において低減できるので、光の取り出し効率をより向上させることが可能となる。
【００６６】
また、溝部の底部及び平面Ｐ０の間の距離と、当該溝部の内周側に隣接する溝部の底部及び平面Ｐ０の間の距離との差分は、レンズ部材４１の中心から外周方向へ向かうにつれ小さくなってもよい。
【００６７】
これにより、隣接する溝部の底部に関する上記距離の関係は、内周に向かうほど光の取り出し効率への寄与度が高い。よって、光の取り出し効率をより効果的に向上させることが可能となる。
【００６８】
（その他）
以上、本発明に係る照明器具について、実施の形態及びその変形例に基づいて説明したが、本発明は、前述した実施の形態及び変形例に限定されるものではない。
【００６９】
例えば、前述した実施の形態では、レンズ部材４０の一例として、突起部は、例えば、フレネル形状を有するレンズ（フレネルレンズ）を用いて説明しているが、この例に限られない。光入射面及び光出射面の一方の面の中央領域に、屈折または透過するレンズが形成され、当該中央領域を除く領域に全反射する多角形状のレンズである突起部が形成され、光入射面から入射した光を光出射面から出射するものであればフレネルレンズでなくてもよい。
【００７０】
また、前述した実施の形態及び変形例において、ＬＥＤ光源１０は、青色ＬＥＤと黄色蛍光体とによって白色光を放出するように構成したが、これに限らない。例えば、赤色蛍光体及び緑色蛍光体を含有する蛍光体含有樹脂を用いて、これと青色ＬＥＤと組み合わせることによりに白色光を放出するように構成しても構わない。
【００７１】
また、前述した実施の形態及び変形例において、ＬＥＤ１２は、青色を発光するＬＥＤを用いたが、これに限らない。ＬＥＤ１２としては、青色以外の色を発光するＬＥＤを用いても構わない。例えば、ＬＥＤ１２として紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【００７２】
また、前述した実施の形態及び変形例において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）又は無機ＥＬ等の発光素子を用いてもよい。
【００７３】
また、前述した実施の形態及び変形例において、面光源としてＬＥＤ光源を例示したが、複数の電球の各光源が同一面上に配置された光源を用いてもよい。
【００７４】
また、前述した実施の形態及び変形例において、反射部材３０は、入射口から入射した光を反射するとしたが、レンズ部材４０で跳ね返った光を再度出射口へと導いてもよい。つまり、レンズ部材４０で反射された光を反射して、出射口から出射させてもよい。
【００７５】
また、前述した実施の形態及び変形例において、レンズ部材４０は、光入射側に、レンズ部材４０の光軸を中心とした同心状かつ円環状の突起部Ｔ１〜Ｔ４及び溝部Ｂ１〜Ｂ３を有するとしたが、当該突起部及び溝部の形状は、円環状に限定されない。円環状ではなく、方形環状など多角形環状でもよく、また、楕円環状であってもよい。つまり、上記突起部及び溝部の形状は、同心環状であればよい。
【００７６】
また、前述した実施の形態及び変形例において、ＬＥＤ光源１０は、基板１１上にＬＥＤチップを直接実装してＬＥＤチップを蛍光体含有樹脂によって一括封止したＣＯＢ（Ｃｈｉｐ  Ｏｎ  Ｂｏａｒｄ）型の構成としたが、これに限らない。例えば、樹脂成形されたキャビティの中にＬＥＤチップを実装して当該キャビティ内に蛍光体含有樹脂を封入したパッケージ型のＬＥＤ素子を用いて、このＬＥＤ素子を基板上に複数個実装することで構成された表面実装型（ＳＭＤ：Ｓｕｒｆａｃｅ  Ｍｏｕｎｔ  Ｄｅｖｉｃｅ）のＬＥＤ光源を用いても構わない。
【００７７】
その他、本発明の趣旨を逸脱しない限り、当業者が思いつく各種変形を本実施の形態及び変形例に施したもの、又は、実施の形態及び変形例における構成要素を組み合わせて構築される形態も、本発明の範囲内に含まれる。
【符号の説明】
【００７８】
１    照明器具
１０、５１０    ＬＥＤ光源（光源）
１１    基板
１２    ＬＥＤ（発光素子）
１３    封止部材
２０    筐体
３０、５３０    反射部材
４０、４１、５４０    レンズ部材（光学部材）
５０    補助反射部材
４０１    光入射面
４０２    光出射面
５０１    コーン部
５０２    枠体本体部
Ｂ１、Ｂ２、Ｂ３    溝部
Ｋ１、Ｋ２、Ｋ３、Ｋ４    屈折面
Ｌ２、Ｌ３ｌ、Ｌ３ｒ、Ｌ４ｌ、Ｌ４ｒ、Ｌ５ｌ、Ｌ５ｒ、Ｌ６ｌ、Ｌ６ｒ、Ｌ７ｌ、Ｌ７ｒ、Ｌ８ｌ、Ｌ８ｒ、Ｌｉ、Ｌｏ    光
Ｐ０    平面
Ｒ１、Ｒ２、Ｒ３、Ｒ４    反射面
Ｔ１、Ｔ２、Ｔ３、Ｔ４    突起部
Ｖ１、Ｖ２、Ｖ３    底部
Ｘ１、Ｘ２、Ｘ３、Ｘ４    距離
【図１】
2015090781.tif 000003
【図２】
2015090781.tif 000004
【図３】
2015090781.tif 000005
【図４】
2015090781.tif 000006
【図５】
2015090781.tif 000007
【図６Ａ】
2015090781.tif 000008
【図６Ｂ】
2015090781.tif 000009
【図７】
2015090781.tif 000010